【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
成分ａ）、ｂ）、ｃ）及びｄ）を反応させることにより得られる生成物であって；成分ａ）は下式Ｉにより表される化合物又は下式Ｉにより表される化合物の混合物であり、成分ｂ）は下式IIにより表される化合物又は下式IIにより表される化合物の混合物であり、成分ｃ）は下式III により表される化合物又は下式III により表される化合物の混合物であり、そして成分ｄ）は下式IVにより表される化合物又は下式IVにより表される化合物の混合物である生成物：
【化１】
1998316986.tif 000001
［式中、式Ｉにより表される化合物中、Ｙは互いに独立してＯＨ、（ＨＯＣＨ2ＣＨ2)2Ｎ- 又は-ＨＮＲ1 を表しそして、Ｒ1 は水素原子、炭素原子数１ないし１８のアルキル基、炭素原子数５ないし１２のシクロアルキル基、
【化２】
1998316986.tif 000002
炭素原子数３ないし６のアルケニル基、炭素原子数７ないし９のフェニルアルキル基、フェニル基、又は１ないし３の基Ａ1 により置換されたフェニル基を表し、基Ａ1 は互いに独立して炭素原子数１ないし１２のアルキル基、ハロゲン原子、ヒドロキシル基、メトキシ基又はエトキシ基を表し、Ｒ2 は水素原子、炭素原子数１ないし８のアルキル基、Ｏ・、ＯＨ、ＮＯ、−ＣＨ2ＣＮ、炭素原子数１ないし１８のアルコキシ基、炭素原子数５ないし１２のシクロアルコキシ基、炭素原子数３ないし６のアルケニル基、炭素原子数７ないし９のフェニルアルキル基又はフェニル環上で炭素原子数１ないし４のアルキル基により単−、二−又は三置換された炭素原子数７ないし９のフェニルアルキル基を表し、又はＲ2 は更に炭素原子数１ないし８のアシル基又はＨＯＣＨ2ＣＨ2-を表し、そしてａは数１、２、３、４又は６を表し、そしてＹがＯＨを表しそしてａが１を表す場合は、Ｘは炭素原子数１ないし４５のアルキル基、炭素原子数３ないし１８のアルケニル基、- ＣＨ2ＣＨ2Ｔ1(ＣＨ2ＣＨ2Ｏ)bＲ4 又は
【化３】
1998316986.tif 000003
（式中、Ｒ2 は上と同じに定義される）を表し、そしてＴ1 は酸素原子、硫黄原子又は−Ｎ(-Ｒ5)−を表し、Ｒ4 は炭素原子数１ないし２０のアルキル基を表し、ｂは０ないし１０の範囲の整数を表し、そしてＲ5 は水素原子、炭素原子数１ないし１８のアルキル基又はフェニル基を表し、又はＹがＯＨを表しそしてａが２を表す場合は、Ｘは-ＣＨ2ＣＨ2Ｔ2(ＣＨ2ＣＨ2Ｏ)bＣＨ2ＣＨ2-（式中、ｂは上と同じに定義される）、
【化４】
1998316986.tif 000004
を表し、式中、Ｔ2 は酸素原子、硫黄原子、
【化５】
1998316986.tif 000005
を表し、そしてＲ5 は上と同じに定義され、Ｒ6 は水素原子、炭素原子数１ないし１８のアルキル基又はフェニル基を表し、ｃは２ないし１０の範囲の整数を表し、ｄは２ないし６の範囲の整数を表しそしてＲ7 とＲ8 は互いに独立して水素原子、炭素原子数１ないし１８のアルキル基又はフェニル基を表すか、又はＲ7 とＲ8 はそれらが結合している炭素原子と一緒になって炭素原子数５ないし１２のシクロアルキリデン環を形成し、又はａが３を表す場合は、Ｘは炭素原子数３ないし１０のアルカントリイル基又はＮ(ＣＨ2ＣＨ2-)3を表し、又はＹがＯＨを表しそしてａが４を表す場合は、Ｘは炭素原子数４ないし１０のアルカンテトライル基、
【化６】
1998316986.tif 000006
（式中、Ｒ9 は炭素原子数１ないし４のアルキル基を表す）を表し、又はＹがＯＨを表しそしてａが６を表す場合は、Ｘは、
【化７】
1998316986.tif 000007
又は炭素原子数６ないし１０のアルカンヘキサイル基を表し、又はＹがＨＮＲ1 を表しそしてａが１を表す場合は、Ｘは炭素原子数１ないし１８のアルキル基、炭素原子数３ないし１８のアルケニル基、炭素原子数５ないし１２のシクロアルキル基、炭素原子数７ないし９のフェニルアルキル基、フェニル基、
【化８】
1998316986.tif 000008
（式中、Ｒ2 は上と同じに定義される）を表すか又はＸは更に
【化９】
1998316986.tif 000009
（式中、Ｒ10は水素原子又はメチル基を表しそしてｅは２又は３を表す）を表すか又はＲ1 と一緒のＸは式 -ＣＨ2ＣＨ2ＣＨ2ＣＨ2ＣＨ2-又は -ＣＨ2ＣＨ2ＯＣＨ2ＣＨ2-の基を表し、又はＹが -ＨＮＲ1 を表しそしてａが２を表す場合は、Ｘは
【化１０】
1998316986.tif 000010
（式中、ｆは２ないし１０の範囲の整数を表しそしてｇは１ないし６の範囲の整数を表す）を表し、そしてそして式IIにより表される化合物中、Ｚは水素原子又は式
【化１１】
1998316986.tif 000011
の基を表しそしてｋは０ないし６の整数を表し、そして式IIにより表される化合物が
【化１２】
1998316986.tif 000012
により表される基を持つことを条件として、ｈは２又は３を表し、ｉは０ないし１２の整数を表しそしてＲ11は炭素原子数８ないし３０のアルキル基、炭素原子数８ないし３０のアルケニル基（これらの基は直鎖状又は分枝状であってよく、その鎖は３より多い二重結合を上記鎖上の所望の位置に持つことがない）、炭素原子数８ないし３０のヒドロキシアルキル基又は炭素原子数８ないし３０のヒドロキシアルケニル基（そのアルキル鎖とアルケニル鎖は直鎖状又は分枝状であってよく、その鎖は少なくとも一つのヒドロキシル官能を上記鎖上の所望の位置に持つことができる）を表し；式III により表される化合物中、Ｒ12は炭素原子数１ないし１８のアルキル基、炭素原子数５ないし１２のシクロアルキル基、フェニル基又は炭素原子数７ないし９のフェニルアルキル基を表し、Ｒ15は水素原子、炭素原子数１ないし１８のアルキル基、炭素原子数５ないし１２のシクロアルキル基、フェニル基又は炭素原子数７ないし９のフェニルアルキル基を表し、ｓは０、１又は２を表し、Ｑは
【化１３】
1998316986.tif 000013
（式中、Ｒ15は上と同じに定義され、ｍは０ないし３の範囲の整数を表し、Ｒ16は炭素原子数１ないし８のアルキル基を表し、ｔは１または２を表し、そしてｎは１ないし６の範囲の整数を表す）を表し、ｎが１を表す場合は、Ｒ17は水素原子、炭素原子数１ないし４５のアルキル基、炭素原子数５ないし１２のシクロアルキル基、炭素原子数２ないし１８のアルケニル基、ヘキソースの一価の基、ヘキシトールの一価の基、
【化１４】
1998316986.tif 000014
（式中、Ｒ2 は上と同じに定義される）を表すか、又は更にＲ17は
【化１５】
1998316986.tif 000015
（式中、Ｔ3 は酸素原子、硫黄原子又は -Ｎ(-Ｒ22)-を表し、Ｒ19は、
【化１６】
1998316986.tif 000016
（式中、Ｒ12とＲ15は上と同じに定義される）を表すか、又はＲ19は更に水素原子、炭素原子数１ないし２４のアルキル基、フェニル基、炭素原子数５ないし１２のシクロアルキル基又は−ＣＨ2-Ｃ(＝Ｏ)-Ｏ-Ｒ25を表し、ｐは２ないし４の範囲の整数を表し、ｑは２ないし２０の範囲の整数を表し、Ｒ22は炭素原子数１ないし１８のアルキル基、フェニル基又は１ないし３の基Ａ1 （基Ａ1 は互いに独立して炭素原子数１ないし１２のアルキル基、ハロゲン原子、ヒドロキシル基、メトキシ基又はエトキシ基を表す）により置換されたフェニル基を表すか、又はＲ22は更に炭素原子数５ないし８のシクロアルキル基を表し、Ｒ23とＲ24は、Ｒ23とＲ24が同時にメチル基でないことを条件として、互いに独立して水素原子又はメチル基を表し、Ｒ25は水素原子又は炭素原子数１ないし２４のアルキル基を表し、又はｎが２を表す場合は、Ｒ17はヘキソースの二価の基、ヘキシトールの二価の基、
【化１７】
1998316986.tif 000017
（式中、ｐとｑは上と同じに定義される）、
【化１８】
1998316986.tif 000018
を表し、Ｒ18とＲ20は互いに独立して水素原子又は炭素原子数１ないし１２のアルキル基を表すか又はＲ18とＲ20は一緒になって基 -ＣＨ2ＣＨ2ＣＨ2ＣＨ2ＣＨ2-を表し、ｒは２ないし１０の範囲の整数を表し、Ｔ4 は硫黄原子、
【化１９】
1998316986.tif 000019
（式中、Ｒ7 とＲ8 は上と同じに定義され、そしてＲ26は水素原子、炭素原子数１ないし１８のアルキル基、フェニル基又は１ないし３の基Ａ1 （基Ａ1 は上述の式Ｉ中と同じに定義される）により置換されたフェニル基を表すか、又はＲ26は更に炭素原子数５ないし８のシクロアルキル基又は
【化２０】
1998316986.tif 000020
（式中、Ｒ2 は上と同じに定義される）を表し、又はｎが３を表す場合は、Ｒ17はヘキソースの三価の基、ヘキシトールの三価の基、
【化２１】
1998316986.tif 000021
Ｒ27は水素原子、-ＣＨ2ＯＨ、炭素原子数１ないし４のアルキル基、炭素原子数１ないし１８のアルキルアミド基又は
【化２２】
1998316986.tif 000022
（式中、Ｑ、Ｒ12とＲ15は上と同じに定義される）を表し、又はｎが４を表す場合は、Ｒ17はヘキソースの四価の基、ヘキシトールの四価の基、炭素原子数４ないし１０のアルカンテトライル基、
【化２３】
1998316986.tif 000023
を表し、又はｎが５を表す場合は、Ｒ17はヘキソースの五価の基又はヘキシトールの五価の基を表し、又はｎが６を表す場合は、Ｒ17はヘキシトールの六価の基又は
【化２４】
1998316986.tif 000024
を表し、そして式IVにより表される化合物中、Ａは水素原子、炭素原子数１ないし４のアルキル基又はフェニル基を表す。）。
【請求項２】
式Ｉにより表される化合物中、Ｙは互いに独立してＯＨ、（ＨＯＣＨ2ＣＨ2)2Ｎ- 又は -ＨＮＲ1 を表しそして、Ｒ1 は水素原子、炭素原子数１ないし１０のアルキル基、炭素原子数５ないし７のシクロアルキル基、
【化２５】
1998316986.tif 000025
、炭素原子数３ないし６のアルケニル基、ベンジル基又はフェニル基を表し、Ｒ2 は水素原子、炭素原子数１ないし４のアルキル基、ＯＨ、−ＣＨ2ＣＮ、炭素原子数６ないし１２のアルコキシ基、炭素原子数５ないし８のシクロアルコキシ基、アリル基、ベンジル基、アセチル基又はＨＯＣＨ2ＣＨ2-を表し、そしてａは数１、２、３、４又は６を表し、そしてＹがＯＨを表しそしてａが１を表す場合は、Ｘは炭素原子数１ないし３０のアルキル基、炭素原子数３ないし１８のアルケニル基、 -ＣＨ2ＣＨ2Ｔ1(ＣＨ2ＣＨ2Ｏ)bＲ4 又は
【化２６】
1998316986.tif 000026
（式中、Ｒ2 は上と同じに定義される）を表し、そしてＴ1 は酸素原子、硫黄原子又は−Ｎ(-Ｒ5)−を表し、Ｒ4 は炭素原子数１ないし１０のアルキル基を表し、ｂは０ないし１０の範囲の整数を表し、そしてＲ5 は水素原子、炭素原子数１ないし１０のアルキル基又はフェニル基を表し、又はＹがＯＨを表しそしてａが２を表す場合は、Ｘは -ＣＨ2ＣＨ2Ｔ2(ＣＨ2ＣＨ2Ｏ)bＣＨ2ＣＨ2-（式中、ｂは上と同じに定義される）、
【化２７】
1998316986.tif 000027
を表し、式中、Ｔ2 は酸素原子、硫黄原子、
【化２８】
1998316986.tif 000028
を表し、そしてＲ5 は上と同じに定義され、Ｒ6 は水素原子、炭素原子数１ないし１０のアルキル基又はフェニル基を表し、ｃは２ないし１０の範囲の整数を表し、ｄは２ないし６の範囲の整数を表しそしてＲ7 とＲ8 は互いに独立して水素原子、炭素原子数１ないし１０のアルキル基又はフェニル基を表すか、又はＲ7 とＲ8 はそれらが結合している炭素原子と一緒になって炭素原子数５ないし７のシクロアルキリデン環を表し、又はＹが−ＨＮＲ1 を表しそしてａが１を表す場合は、Ｘが炭素原子数１ないし１０のアルキル基、炭素原子数３ないし１８のアルケニル基、炭素原子数５ないし７のシクロアルキル基、ベンジル基、フェニル基、
【化２９】
1998316986.tif 000029
（式中、Ｒ2 は上と同じに定義される）を表し、又はＸは更に
【化３０】
1998316986.tif 000030
（式中、Ｒ10は水素原子又はメチル基を表しそしてｅは２又は３を表す）を表し、又はＲ1 と一緒のＸは式 -ＣＨ2ＣＨ2ＣＨ2ＣＨ2ＣＨ2-又は -ＣＨ2ＣＨ2ＯＣＨ2ＣＨ2-の基を表し、そしてそして式IIにより表される化合物中、Ｚは水素原子又は式
【化３１】
1998316986.tif 000031
の基を表しそしてｋは０ないし４の整数を表し、そして式IIにより表される化合物が
【化３２】
1998316986.tif 000032
により表される基を持つことを条件として、ｈは２又は３を表し、ｉは０ないし６の整数を表しそしてＲ11は炭素原子数８ないし２０のアルキル基、炭素原子数８ないし３０のアルケニル基（これらの基は直鎖状又は分枝状であってよく、その鎖は３より多い二重結合を上記鎖上の所望の位置に持つことがない）、炭素原子数８ないし２０のヒドロキシアルキル基又は炭素原子数８ないし２０のヒドロキシアルケニル基（そのアルキル鎖とアルケニル鎖は直鎖状又は分枝状であってよく、その鎖は少なくとも一つのヒドロキシル官能を上記鎖上の所望の位置に持つことができる）を表し；式III により表される化合物中、Ｒ12は炭素原子数１ないし６のアルキル基、炭素原子数５ないし７のシクロアルキル基、フェニル基又はベンジル基を表し、Ｒ15は水素原子、炭素原子数１ないし６のアルキル基、炭素原子数５ないし７のシクロアルキル基、フェニル基又はベンジル基を表し、ｓは０、１又は２を表し、Ｑは
【化３３】
1998316986.tif 000033
（式中、Ｒ15は上と同じに定義され、ｍは０ないし３の範囲の整数を表し、Ｒ16は炭素原子数１ないし４のアルキル基を表し、ｔは１または２を表し、そしてｎは１ないし６の範囲の整数を表す）を表し、ｎが１を表す場合は、Ｒ17は水素原子、炭素原子数１ないし３０のアルキル基、炭素原子数５ないし７のシクロアルキル基、炭素原子数２ないし１８のアルケニル基、ヘキソースの一価の基、ヘキシトールの一価の基、
【化３４】
1998316986.tif 000034
（式中、Ｒ2 は上と同じに定義される）を表すか、又は更にＲ17は
【化３５】
1998316986.tif 000035
（式中、Ｔ3 は酸素原子、硫黄原子又は -Ｎ(-Ｒ22)-を表し、Ｒ19は、
【化３６】
1998316986.tif 000036
（式中、Ｒ12とＲ15は上と同じに定義される）を表すか、又はＲ19は更に水素原子、炭素原子数１ないし１８のアルキル基、フェニル基、炭素原子数５ないし７のシクロアルキル基又は
【化３７】
1998316986.tif 000037
を表し、ｐは２ないし４の範囲の整数を表し、ｑは２ないし２０の範囲の整数を表し、Ｒ22は炭素原子数１ないし１０のアルキル基、フェニル基又は炭素原子数５ないし８のシクロアルキル基を表し、Ｒ23とＲ24は、Ｒ23とＲ24が同時にメチル基でないことを条件として、互いに独立して水素原子又はメチル基を表し、Ｒ25は水素原子又は炭素原子数１ないし１８のアルキル基を表し、又はｎが２を表す場合は、Ｒ17はヘキソースの二価の基、ヘキシトールの二価の基、
【化３８】
1998316986.tif 000038
（式中、ｐとｑは上と同じに定義される）、
【化３９】
1998316986.tif 000039
を表し、Ｒ18とＲ20は互いに独立して水素原子又は炭素原子数１ないし６のアルキル基を表すか又はＲ18とＲ20は一緒になって基 -ＣＨ2ＣＨ2ＣＨ2ＣＨ2ＣＨ2-を表し、ｒは２ないし１０の範囲の整数を表し、Ｔ4 は硫黄原子、
【化４０】
1998316986.tif 000040
（式中、Ｒ7 とＲ8 は上と同じに定義され、そしてＲ26は水素原子、炭素原子数１ないし１０のアルキル基、フェニル基、炭素原子数５ないし８のシクロアルキル基又は
【化４１】
1998316986.tif 000041
（式中、Ｒ2 は上と同じに定義される）を表す請求項１記載の生成物。
【請求項３】
式Ｉにより表される化合物中、Ｙは互いに独立してＯＨ、（ＨＯＣＨ2ＣＨ2)2Ｎ- 、-ＨＮＲ1 を表しそして、Ｒ1 は水素原子、炭素原子数１ないし４のアルキル基又は
【化４２】
1998316986.tif 000042
を表し、Ｒ2 は水素原子、炭素原子数１ないし４のアルキル基、ＯＨ、アリル基、ベンジル基、アセチル基又はＨＯＣＨ2ＣＨ2-を表し、そしてａは数１、２、３、４又は６を表し、そしてＹがＯＨを表しそしてａが１を表す場合は、Ｘは炭素原子数１ないし１８のアルキル基、炭素原子数３ないし１８のアルケニル基、- ＣＨ2ＣＨ2Ｔ1(ＣＨ2ＣＨ2Ｏ)bＲ4 又は
【化４３】
1998316986.tif 000043
（式中、Ｒ2 は上と同じに定義される）を表し、そしてＴ1 は酸素原子を表し、Ｒ4 は炭素原子数１ないし４のアルキル基を表し、そしてｂは０ないし１０の範囲の整数を表し、又はＹがＯＨを表しそしてａが２を表す場合は、Ｘは-ＣＨ2ＣＨ2Ｔ2(ＣＨ2ＣＨ2Ｏ)bＣＨ2ＣＨ2-（式中、ｂは上と同じに定義される）を表し、又は更にＸは、
【化４４】
1998316986.tif 000044
を表し、Ｔ2 は酸素原子、硫黄原子又は -Ｎ(-Ｒ5)- を表し、Ｒ5 は水素原子を表し、ｂは０又は１を表しそしてｃは２ないし８の範囲の整数を表し、又はａが３を表す場合は、Ｘは炭素原子数 -ＣＨ(ＣＨ2-)2 又はＮ(ＣＨ2ＣＨ2-)3 を表し、又はＹがＯＨを表しそしてａが４を表す場合は、Ｘは
【化４５】
1998316986.tif 000045
を表し、又はＹがＯＨを表しそしてａが６を表す場合は、Ｘは
【化４６】
1998316986.tif 000046
を表し、又はＹがＨＮＲ1 を表しそしてａが１を表す場合は、Ｘは炭素原子数１ないし１０のアルキル基、炭素原子数３ないし１８のアルケニル基、炭素原子数５ないし７のシクロアルキル基又は
【化４７】
1998316986.tif 000047
（式中、Ｒ2 は上と同じに定義される）を表すか又はＹが -ＨＮＲ1 を表しそしてａが２を表す場合は、Ｘは -ＣfＨ2f- （式中、ｆは２ないし１０の整数を表す）を表し、そしてそして式IIにより表される化合物中、Ｚは水素原子又は式
【化４８】
1998316986.tif 000048
の基を表しそしてｋは１、２又は３を表し、そして式IIにより表される化合物が
【化４９】
1998316986.tif 000049
により表される基を持つことを条件として、ｈは２又は３を表し、ｉは０ないし４の整数を表しそしてＲ11は炭素原子数８ないし２０のアルキル基、炭素原子数８ないし２０のアルケニル基（これらの基は直鎖状又は分枝状であってよく、その鎖は３より多い二重結合を上記鎖上の所望の位置に持つことがない）、炭素原子数８ないし３０のヒドロキシアルキル基又は炭素原子数８ないし２０のヒドロキシアルケニル基（そのアルキル鎖とアルケニル鎖は直鎖状又は分枝状であってよく、その鎖は少なくとも一つのヒドロキシル官能を上記鎖上の所望の位置に持つことができる）を表し；式III により表される化合物中、Ｒ12は炭素原子数１ないし６のアルキル基又は炭素原子数５ないし７のシクロアルキル基を表し、Ｒ15は水素原子、炭素原子数１ないし６のアルキル基又は炭素原子数５ないし７のシクロアルキル基を表し、ｓは１又は２を表し、Ｑは
【化５０】
1998316986.tif 000050
を表し、ｍは０ないし３の範囲の整数を表し、Ｒ16は炭素原子数１ないし４のアルキル基を表し、そしてｎは１ないし６の範囲の整数を表す）を表し、そしてｎが１を表す場合は、Ｒ17は水素原子、炭素原子数１ないし１８のアルキル基、炭素原子数５ないし７のシクロアルキル基、炭素原子数２ないし１８のアルケニル基、ヘキソースの一価の基、ヘキシトールの一価の基、
【化５１】
1998316986.tif 000051
（式中、Ｒ2 は上と同じに定義される）を表すか、又は更にＲ17は
【化５２】
1998316986.tif 000052
（式中、Ｒ19は水素原子、炭素原子数１ないし１８のアルキル基又は炭素原子数５ないし７のシクロアルキル基を表し、ｐは２ないし４の範囲の整数を表し、ｑは２ないし１０の範囲の整数を表し、又はｎが２を表す場合は、Ｒ17はヘキソースの二価の基、ヘキシトールの二価の基、
【化５３】
1998316986.tif 000053
（式中、ｐとｑは上と同じに定義される）、
【化５４】
1998316986.tif 000054
を表し、ｒは２ないし１０の範囲の整数を表し、Ｔ4 は硫黄原子又は -Ｎ(-Ｒ26)-を表しそしてＲ26は水素原子、炭素原子数１ないし１０のアルキル基又は炭素原子数５ないし８のシクロアルキル基を表し、又はｎが３を表す場合は、Ｒ17はヘキソースの三価の基、ヘキシトールの三価の基、
【化５５】
1998316986.tif 000055
を表し、又はｎが４を表す場合は、Ｒ17はヘキソースの四価の基、ヘキシトールの四価の基、
【化５６】
1998316986.tif 000056
を表す請求項１記載の生成物。
【請求項４】
式Ｉにより表される化合物中、Ｙは互いに独立してヒドロキシル基又は -ＮＨ2 を表しそして、ａは数１ないし４の範囲の整数を表し、そしてａが１を表す場合は、Ｘは
【化５７】
1998316986.tif 000057
を表し、そしてＲ2 は水素原子、メチル基又はＨＯＣＨ2ＣＨ2-を表し、又はＹがＯＨを表しそしてａが２を表す場合は、Ｘは
【化５８】
1998316986.tif 000058
（式中、Ｔ2 は酸素原子、硫黄原子又は -Ｎ(-Ｒ5)- を表し、Ｒ5 は水素原子を表し、ｂは０又は１を表しそしてｃは数２、３又は４を表す）を表し、又はＹがＯＨを表しそしてａが３を表す場合は、Ｘは -ＣＨ(ＣＨ2-)2 を表し、又はＹがＯＨを表しそしてａが４を表す場合は、Ｘは
【化５９】
1998316986.tif 000059
を表し、そしてそして式IIにより表される化合物中、Ｚは水素原子又は式 -Ｃ(=Ｏ)Ｒ11の基を表しそしてｋは数１を表し、そして式IIにより表される化合物が式 -Ｃ(=Ｏ)Ｒ11の基を含むことを条件として、Ｒ11は炭素原子数８ないし２０のアルキル基、炭素原子数８ないし２０のアルケニル基（これらの基は直鎖状又は分枝状であってよく、その鎖は３より多い二重結合を上記鎖上の所望の位置に持つことがない）、炭素原子数８ないし２０のヒドロキシアルキル基又は炭素原子数８ないし２０のヒドロキシアルケニル基（そのアルキル鎖とアルケニル鎖は直鎖状又は分枝状であってよく、その鎖は少なくとも一つのヒドロキシル官能を上記鎖上の所望の位置に持つことができる）を表し；そして式III により表される化合物中、Ｒ12はｔｅｒｔ−ブチル基を表し、Ｒ15は炭素原子数１ないし４のアルキル基を表しそして−ＯＨ基に関してオルト位に結合し、ｓは数１を表し、Ｑは -ＣmＨ2m- を表しそしてＯＨ基に関してパラ位に結合し、ｍは数２を表し、ｎは１を表しそしてＲ17は炭素原子数１ないし４のアルキル基を表す請求項１記載の生成物。
【請求項５】
式III により表される化合物中、Ｒ12は炭素原子数１ないし４のアルキル基又はシクロヘキシル基を表し、Ｒ15は炭素原子数１ないし４のアルキル基又はシクロヘキシル基を表しそしてＯＨ基に関してオルト位に結合し、ｓは数１を表し、Ｑは -ＣmＨ2m- を表しそしてＯＨに関してパラ位に結合し、ｍは０ないし３の範囲の整数を表しそしてｎは１ないし４の範囲の整数を表し、そしてｎが１を表す場合は、Ｒ17は水素原子、炭素原子数１ないし１０のアルキル基、シクロヘキシル基、炭素原子数２ないし１８のアルケニル基又は
【化６０】
1998316986.tif 000060
を表し、又はｎが２を表す場合は、Ｒ17は
【化６１】
1998316986.tif 000061
（式中、ｐは２ないし４の範囲の整数を表し、ｑは２ないし１０の範囲の整数を表し、ｒは２ないし６の範囲の整数を表し、Ｔ4 は硫黄原子又は -Ｎ(-Ｒ26)-を表しそしてＲ26は水素原子又は炭素原子数１ないし４のアルキル基を表し、又は、ｎが３を表す場合は、Ｒ17は
【化６２】
1998316986.tif 000062
を表し、又はｎが４を表す場合は、Ｒ17は
【化６３】
1998316986.tif 000063
を表す請求項１記載の生成物。
【請求項６】
式III により表される化合物中、Ｒ12はｔｅｒｔ−ブチル基を表し、Ｒ15は炭素原子数１ないし４のアルキル基を表しそしてＯＨ基に関してオルト位に結合し、ｓは数１を表し、Ｑは -ＣmＨ2m- を表しそしてＯＨに関してパラ位に結合し、ｍは数２を表しそしてｎは整数１、２又はないし４を表し、そしてｎが１を表す場合は、Ｒ17は炭素原子数１ないし４のアルキル基を表し、又はｎが２を表す場合は、Ｒ17は
【化６４】
1998316986.tif 000064
（式中、ｐは数２を表し、ｑは数２を表し、そしてＴ4 は硫黄原子を表し、又は、ｎが４を表す場合は、Ｒ17は
【化６５】
1998316986.tif 000065
を表す請求項１記載の生成物。
【請求項７】
α）酸化的、熱的又は光誘導分解を受け易い有機材料及びβ）請求項１に記載の生成物の少なくとも１種からなる組成物。